(57)【要約】【課題】装用緩衝保護装置を備えた眼鏡の提供。【解決手段】本発明の装用緩衝保護装置を備えた眼鏡は、本体と、２つの緩衝クッションと、２つのサポートクッションと、制御モジュールと、エアポンプと、スイッチ部材を含み、そのうち本体がフレームと、２つのツルを備え、２つの緩衝クッションが２つのツル上にそれぞれ設置され、２つのサポートクッションがフレーム上に設置され、エアポンプと２つの緩衝クッション及び２つのサポートクッションが相互に連通され、制御モジュールとスイッチ部材及びエアポンプが電気的に接続され、エアチャネルと２つの緩衝クッション、２つのサポートクッション及びエアポンプが相互に連通され、スイッチ部材をオンにすると、スイッチ部材が制御モジュールにイネーブル信号を送信し、制御モジュールがイネーブル信号に基づいてエアポンプを作動させ、気体をエアチャネルに導入し、さらに２つの緩衝クッション及び２つのサポートクッションへと導入して、その内部に気体を充填し、膨張させる。【選択図】図２Ｂ
2018180532.tif 000002
【特許請求の範囲】
【請求項１】
装用緩衝保護装置を備えた眼鏡であって、
フレームと２つのツルを備えた本体と、
該本体の該フレーム上に、使用者の鼻梁の位置に対応してそれぞれ設置された、２つのサポートクッションと、該２つのツルをそれぞれ被覆して設置された２つの緩衝クッションと、を含むエアクッションと、
エアポンプと、
スイッチ部材と、
該スイッチ部及び該エアポンプと電気的に接続された制御モジュールと、
該２つの緩衝クッション、該２つのサポートクッション、及び該エアポンプと相互に連通されたエアチャネルと、
を含み、そのうち、該スイッチ部材をオンにすると、該スイッチ部材が該制御モジュールにイネーブル信号を送信し、該制御モジュールが該イネーブル信号に基づき該エアポンプを作動させ、該エアチャネルを経由して気体を該２つの緩衝クッション及び該２つのサポートクッションに導入し、該２つの緩衝クッションと該２つのサポートクッションの内部に気体を充填して膨張させ、該２つの緩衝クッションに気体を充填して膨張させることで使用者の耳に密着固定し、さらに該サポートクッションに気体を充填して膨張させることで使用者の鼻梁に密着固定して、該本体の高低位置を調整することを特徴とする、装用緩衝保護装置を備えた眼鏡。
【請求項２】
前記サポートクッションが圧縮と弾性的に拡張及び拡大縮小可能な材質であることを特徴とする、請求項１に記載の装用緩衝保護装置を備えた眼鏡。
【請求項３】
前記緩衝クッションが圧縮と弾性的に拡張及び拡大縮小可能な材質であることを特徴とする、請求項１に記載の装用緩衝保護装置を備えた眼鏡。
【請求項４】
前記装用緩衝保護装置を備えた眼鏡がさらに気体圧力検出装置を備え、該気体圧力検出装置と該制御モジュールが電気的に接続され、該エアチャネル内部の圧力が特定の閾値区間より高いと該気体圧力検出装置が検出すると、該気体圧力検出装置が該制御モジュールにディスエーブル信号を送信し、該制御モジュールが該ディスエーブル信号に基づき該エアポンプを制御して停止させることを特徴とする、請求項１に記載の装用緩衝保護装置を備えた眼鏡。
【請求項５】
前記装用緩衝保護装置を備えた眼鏡がさらに気圧弁を備え、該気圧弁と該エアチャネルが相互に連通され、該気圧弁が逆止弁と排気弁により構成される開閉バルブ構造であり、該逆止弁がエアチャネルの気体を単一方向に進入させ、逆流させないように作用し、該排気弁がエアチャネルの圧力調節作用を提供することを特徴とする、請求項１に記載の装用緩衝保護装置を備えた眼鏡。
【請求項６】
前記気圧弁と前記制御モジュールが電気的に接続され、該制御モジュールが該イネーブル信号に基づき該エアポンプを作動させ、該エアチャネルに気体を充填すると、該気圧弁の該逆止弁が該エアチャネル内の該気体を単一方向に進入させ、気体が逆流して漏れ出ることがないようにすることを特徴とする、請求項５に記載の装用緩衝保護装置を備えた眼鏡。
【請求項７】
前記気圧弁と該制御モジュールが電気的に接続され、該スイッチ部材をオフにすると、該スイッチ部材が圧力開放信号を該制御モジュールに送信し、該制御モジュールが該圧力開放信号に基づき該気圧弁の該排気弁を制御して圧力を開放させ、気体が順に該エアクッションから該エアチャネル、該気圧弁の該排気弁、及び該排気孔を経由して該装用緩衝保護装置を備えた眼鏡の外部に放出され、該エアチャネルが適切な内部圧力値に調整される、または気体を充填していない状態が回復されることを特徴とする、請求項５に記載の装用緩衝保護装置を備えた眼鏡。
【請求項８】
前記エアポンプが圧電駆動エアポンプであることを特徴とする、請求項１に記載の装用緩衝保護装置を備えた眼鏡。
【請求項９】
前記圧電駆動エアポンプが、共振片と、圧電アクチュエータと、蓋板を含み、
前記共振片が中空孔を備え、かつ該中空孔の周囲が可動部であり、 
前記圧電アクチュエータが、該共振片に対応して設置され、
前記蓋板が少なくとも１つの側壁と、底板と、開口部を備え、該少なくとも１つの側壁が該底板の周縁を囲み、該底板上に凸設され、かつ該底板と１つの収容空間を形成し、該収容空間が該共振片と該圧電アクチュエータを収容するために用いられ、該開口部が該側壁上に設置され、
そのうち、該共振片と該圧電アクチュエータの間に間隙が設けられてチャンバを形成し、それにより該圧電アクチュエータが駆動されると、気流が該蓋板の該開口部から導入され、該共振片の該中空孔を経由して該チャンバ内に進入し、該圧電アクチュエータと該共振片の可動部により共振を発生して気流が輸送されることを特徴とする、請求項８に記載の装用緩衝保護装置を備えた眼鏡。
【請求項１０】
前記圧電アクチュエータが、懸架板と、外枠と、少なくとも１つの支持部と、圧電部材と、を含み、
前記懸架板が第１表面と第２表面を備え、かつ湾曲振動可能であり、
前記外枠が該懸架板の外側に周設され、
前記少なくとも１つの支持部が前記懸架板と前記外枠の間に連接され、弾性的支持を提供し、 
前記圧電部材が辺の長さを備え、前記辺の長さが前記懸架板の辺の長さに等しい、またはそれより小さく、かつ、前記圧電部材が前記懸架板の第２表面上に貼付され、電圧を印加して前記懸架板を駆動し、湾曲振動させるために用いられることを特徴とする、請求項９に記載の装用緩衝保護装置を備えた眼鏡。
【発明の詳細な説明】
【技術分野】
【０００１】
本発明は装用緩衝保護装置を備えた眼鏡に関し、特に、エアポンプで気体を充填する、装用緩衝保護装置を備えた眼鏡に関する。
【背景技術】
【０００２】
科学技術の絶え間ない進歩に伴い、各種３Ｃ製品が次々と生み出され、現代人の３Ｃ製品に対するニーズは高まり続けているが、この現象は現代人の目の負担を重くしてもいるため、眼鏡をかける年齢層が徐々に下がり、眼鏡をかける人口も増え続けており、関連業者はその眼鏡製品の造形の美感や装用時の快適性の向上を図ることで、消費者を引き付けようとしている。
【０００３】
一般に、現在市販されている眼鏡に組み合わされているツルは主に一体成型で成るプラスチック材質か、または金属材質のツルにプラスチック材質のカバーを組み合わせて構成されている。しかしながらツルと耳部の接触部分は通常プラスチック材質であり、かつプラスチック材質は硬めであるため、装用時に使用者の耳に不快感を与えやすい。さらに、市販の眼鏡に組み合わされているツルは、使用者の耳部の形状に完全に対応させることはできず、眼鏡が耳部から脱落し、眼鏡の破損を引き起こしやすく、使用者が運動または運転しているときに危険な状況が発生する可能性がある。
【０００４】
現在市場にはツルの後方に挿入して眼鏡の装用時に耳に掛けることができ、それにより眼鏡の脱落の恐れを回避するシリコンフックもあるが、シリコンフックをツルに挿入する過程に手間を要し、また眼鏡の着脱も不便である。このほか、シリコンフックは同様に使用者の耳部の形状に完全に対応させることができず、使用者の耳部に異物感を生じ、全体的な快適性に影響を与える。
【０００５】
このほか、従来の眼鏡は装用時、２つの鼻パッドを鼻梁に当てる設計を通じて、眼鏡を顔の上で支える必要がある。この鼻パッドは眼鏡を顔の上に支える働きをするだけでなく、眼鏡と目の焦点合わせもこの鼻パッドで正確な装着位置に支持して位置決めする必要がある。しかしながら、この鼻パッドを眼鏡上に取り付けるとき、若干揺動して位置が調整できる組立方式を採用し、装着時に鼻梁に密着する位置に合わせることができるようにしているが、このような若干の揺動による位置調整の設計では鼻梁の上に完全に密着させることはできず、装用者の鼻梁に油が出ると鼻パッドが下方へ滑り、装用者の眼鏡と目のフォーカス位置に影響するため、装用者は頻繁に眼鏡を上に押し上げて目との正確なフォーカス位置に動かす必要があり、使用上頻繁な操作が実用性に影響する。かつ現在市場の眼鏡に適用されている固定部材または鼻パッドはいずれも量産製品であり、すべての装用者の耳または鼻梁に対応することは難しく、装用者に不快感を招くため、改良が必要とされている。
【０００６】
これに鑑み、快適性と鼻パッドの正確なフォーカスに調整してツルを位置決めできる、装用緩衝保護装置を備えた眼鏡をいかに生み出すかが現在解決を要する切迫した問題である。
【発明の概要】
【発明が解決しようとする課題】
【０００７】
本発明の主な目的は、緩衝クッションとサポートクッションの設計を組み合わせ、従来の眼鏡が装用時に使用者の耳に不快感を招きやすく、かつ従来の眼鏡が容易に耳から脱落して眼鏡を破損しやすい問題を解決するとともに、気体を充填して調整できるサポートクッションで、鼻梁に密着する位置により適合させることができ、快適に押し当てる作用力を形成して鼻梁に密着させ、眼鏡を装着して調整し、位置決めした後にずれることがなく、より完全に装用して使用することができる、装用緩衝保護装置を備えた眼鏡を提供することにある。
【課題を解決するための手段】
【０００８】
上述の目的を達するため、本発明の広義の実施態様の装用緩衝保護装置を備えた眼鏡は、フレームと２つのツルを備えた本体と、該本体の２つのツル上にそれぞれ設置された２つの緩衝クッションと、該フレーム上に使用者の鼻梁の位置に対応して設置された２つのサポートクッションと、該２つの緩衝クッション及び該２つのサポートクッションと相互に連通されたエアポンプと、スイッチ部材と、該スイッチ部材及び該エアポンプと電気的に接続された制御モジュールと、該本体内に埋設され、かつ該２つの緩衝クッション、該２つのサポートクッション及び該エアポンプと相互に連通されたエアチャネルと、を含み、そのうち、該スイッチ部材をオンにすると、該スイッチ部材が該制御モジュールにイネーブル信号を送信し、該制御モジュールが該イネーブル信号に基づいて該エアポンプを作動させ、気体を該エアチャネルに導入し、さらに該２つの緩衝クッション及び該２つのサポートクッションへと導入して、該２つの緩衝クッション及び該２つのサポートクッションの内部に気体を充填して膨張を生じさせる。
【図面の簡単な説明】
【０００９】
【図１】本発明の実施例１の装用緩衝保護装置を備えた眼鏡の構造を示す立体斜視図である。
【図２Ａ】本発明の実施例１の装用緩衝保護装置を備えた眼鏡の立体透視図である。
【図２Ｂ】本発明の実施例１の装用緩衝保護装置を備えた眼鏡の各部材を示す立体分解図である。
【図３】本発明の実施例１の装用緩衝保護装置を備えた眼鏡のブロック図である。
【図４Ａ】本発明の実施例１のエアポンプの異なる角度からの立体分解図である。
【図４Ｂ】本発明の実施例１のエアポンプの異なる角度からの立体分解図である。
【図５Ａ】本発明の最良の実施例の圧電アクチュエータの正面構造を示す立体斜視図である。
【図５Ｂ】本発明の最良の実施例の圧電アクチュエータの背面構造を示す立体斜視図である。
【図５Ｃ】本発明の最良の実施例の圧電アクチュエータの断面構造を示す断面図である。
【図６】図４Ａと図４Ｂに示すエアポンプの断面図である。
【図７Ａ】図４Ａと図４Ｂに示すエアポンプの作動の流れを示す断面図１である。
【図７Ｂ】図４Ａと図４Ｂに示すエアポンプの作動の流れを示す断面図２である。
【図７Ｃ】図４Ａと図４Ｂに示すエアポンプの作動の流れを示す断面図３である。
【図７Ｄ】図４Ａと図４Ｂに示すエアポンプの作動の流れを示す断面図４である。
【図８】本発明の実施例２の装用緩衝保護装置を備えた眼鏡の構造を示す立体斜視図である。
【発明を実施するための形態】
【００１０】
本発明の特徴と利点を体現するいくつかの典型的実施例について、以下で詳細に説明する。本発明は異なる態様において各種の変化が可能であり、そのいずれも本発明の範囲を逸脱せず、かつ本発明の説明及び図面は本質的に説明のために用いられ、本発明を制限するものではないことが理解されるべきである。
【実施例１】
【００１１】
図１に示す本発明の実施例１の装用緩衝保護装置を備えた眼鏡の構造を示す立体斜視図を参照する。図１に示すように、本発明の実施例１の装用緩衝保護装置を備えた眼鏡１は主に、本体１０と、エアクッション１１と、スイッチ部材１４を含み、エアクッション１１は、２つの緩衝クッション１１ａ、１１ｂと、２つのサポートクッション１１ｃ、１１ｄを含み、そのうち、本体１０がさらに２つのツル１０１ａ、１０１ｂと、フレーム１０２と、一端が該フレーム１０２の両側にそれぞれ設置された２つのツル１０１ａ、１０１ｂを含み、 かつツル１０１ａ、１０１ｂと該フレーム１０２が連接された該端部を内側に折り畳んで該ツル１０１ａ、１０１ｂを収納することができるが、これに限らず、該２つの緩衝クッション１１ａ、１１ｂが該２つのツル１０１ａ、１０１ｂの一部分の表面上を被覆してそれぞれ設置され、該２つのサポートクッション１１ｃ、１１ｄが該フレーム１０２にそれぞれ設置され、かつ使用者の鼻梁の位置に対応して設置されるが、これに限らず、装用緩衝保護装置を備えた眼鏡１を眼鏡の使用者の鼻梁に固定するために用いられ、同時に本体１０の高低位置を調整し、快適性と利便性を使用者に提供することができる。そのうち、緩衝クッション１１ａ、１１ｂ及びサポートクッション１１ｃ、１１ｄは一体成型された膨張可能な構造とすることができるが、これに限らず、かつその表面が例えばシリコン材料などの圧縮と弾性的に拡張及び拡大縮小可能な材質であるが、これに限らない。スイッチ部材１４は該本体１０のツル１０１ｂ上に設置され、かつボタン構造であるが、これに限らない。
【００１２】
図２Ａと図２Ｂを参照する。図２Ａに本発明の実施例１の装用緩衝保護装置を備えた眼鏡の立体透視図、図２Ｂに本発明の実施例１の装用緩衝保護装置を備えた眼鏡の各部材を示す立体分解図をそれぞれ示す。図２Ｂに示すように、本発明の最良の実施例の装用緩衝保護装置を備えた眼鏡１はさらに、エアポンプ１２と、エアチャネル１３を含み、そのうち、エアチャネル１３は軟性で中空の管状構造であり、気体の流通と伝送に用いられる。本実施例のエアチャネル１３は本体１０の内部に埋設されるが、これに限らず、エアチャネル１３はツル１０１ａ、１０１ｂの末端をそれぞれ被覆して設置された緩衝クッション１１ａ、１１ｂ、及びフレーム１０２に設置されたサポートクッション１１ｃ、１１ｄと相互に連通される。エアポンプ１２はエアチャネル１３と相互に連通され、気体をエアチャネル１３中に導入するために用いられる。かつ本実施例において、緩衝クッション１１ａ、１１ｂ及びサポートクッション１１ｃ、１１ｄの一表面は複数の気体充填孔（図示しない）を含むことができ、かつエアチャネル１３も複数のエアチャネル孔（図示しない）を含むことができ、エアチャネル１３のエアチャネル孔の数、大きさ及び位置はいずれも緩衝クッション１１ａ、１１ｂ及びサポートクッション１１ｃ、１１ｄの複数の気体充填孔に対応し、エアチャネル孔と気体充填孔を接合及び位置決めしてエアチャネル１３と緩衝クッション１１ａ、１１ｂ、サポートクッション１１ｃ、１１ｄを連通させ、エアチャネル１３と緩衝クッション１１ａ、１１ｂ、サポートクッション１１ｃ、１１ｄが連通されている間の気体流路を実現する。
【００１３】
同時に図２Ａ、図２Ｂ、図３を参照する。図３に本発明の実施例１の装用緩衝保護装置を備えた眼鏡のブロック図を示す。図３に示すように、本発明の実施例１の装用緩衝保護装置を備えた眼鏡１はさらに制御モジュール１６を含み、そのうち、制御モジュール１６はさらに制御モジュール１６に電力を供給する電池１７を含む。制御モジュール１６はエアポンプ１２、スイッチ部材１４とそれぞれ電気的に接続され、スイッチ部材１４が送信する信号を受信し、エアポンプ１２を駆動制御して作動させることができる。そのうち、使用者が該装用緩衝保護装置を備えた眼鏡１を装着したとき、サポートクッション１１ｃ、１１ｄが使用者の鼻梁に当接され、緩衝クッション１１ａ、１１ｂが使用者の耳と顔に当接される。使用者がスイッチ部材１４をオンにすることで、スイッチ部材１４にイネーブル信号を制御モジュール１６に送信させ、制御モジュール１６がイネーブル信号を受信して該イネーブル信号に基づきエアポンプ１２を駆動して動作させ、エアチャネル１３から気体を緩衝クッション１１ａ、１１ｂ及びサポートクッション１１ｃ、１１ｄ中に導入し、該緩衝クッション１１ａ、１１ｂ及びサポートクッション１１ｃ、１１ｄの内部に気体を充填して膨張を生じさせる。サポートクッション１１ｃ、１１ｄは使用者の鼻梁の形状に応じて完全に密着し、支持力を提供してフレーム１０２を支持するとともに、サポートクッション１１ｃ、１１ｄの膨張により本体１０の高低位置を調整し、緩衝クッション１１ａ、１１ｂが使用者の耳と顔の形状に合わせて完全に貼付される。かつ緩衝クッション１１ａ、１１ｂはツル１０１ａ、１０１ｂの部分に設置されているため使用者の頭部とツル１０１ａ、１０１ｂの間の緩衝となり、快適性が高められ、装用緩衝保護装置を備えた眼鏡１を使用者の耳、顔及び鼻梁にしっかりと固定して脱落しないようにすることができ、快適性と安全性を備えた眼鏡の装用を実現する。
【００１４】
続いて図３を参照する。本実施例において、装用緩衝保護装置を備えた眼鏡１はさらに気体圧力検出装置１８を備え、そのうち、該気体圧力検出装置１８は制御モジュール１６に電気的に接続され、かつ気体圧力検出装置１８は本体１０内に埋設され、該エアチャネル１３と相互に連通されて、気体の圧力を検出するために用いられるが、これに限らない。そのうち、該気体圧力検出装置１８がエアチャネル１３の連通を通じて、緩衝クッション１１ａ、１１ｂ及びサポートクッション１１ｃ、１１ｄの内部圧力が特定の閾値区間より高いことを検出すると、気体圧力検出装置１８はディスエーブル信号を制御モジュール１６に送信し、制御モジュール１６が該ディスエーブル信号を受信すると、ディスエーブル信号に基づきエアポンプ１２を制御して作動を停止させる。これにより、緩衝クッション１１ａ、１１ｂ及びサポートクッション１１ｃ、１１ｄの膨張程度及び内部圧力を特定の範囲内に制御し、緩衝クッション１１ａ、１１ｂ及びサポートクッション１１ｃ、１１ｄが過度に膨張して耳、顔または鼻梁に不快感を与えることを回避し、かつ装用緩衝保護装置を備えた眼鏡１の緩衝クッション１１ａ、１１ｂ及びサポートクッション１１ｃ、１１ｄを比較的快適な圧力下に制御して使用者の装用に供する。
【００１５】
同時に図１、図２Ａ、図２Ｂ、図３を参照する。本実施例において、装用緩衝保護装置を備えた眼鏡１はさらに気圧弁１５を備え、そのうち、該気圧弁１５は本体１０内部に埋設されるが、これに限らない。該気圧弁１５はエアチャネル１３と相互に連通され、かつ本体１０の排気孔１５ａを介して装用緩衝保護装置を備えた眼鏡１の外部に連通される。気圧弁１５は逆止弁（図示しない）と排気弁（図示しない）により構成される開閉バルブ構造であり、逆止弁はエアチャネル１３の気体を単一方向に進入させ、逆流させないように作用し、排気弁はエアチャネル１３の圧力調節作用を提供する。また、気圧弁１５は制御モジュール１６とも電気的に接続され、該制御モジュール１６が該イネーブル信号に基づき該エアポンプ１２を作動させてエアチャネル１３に気体を充填したとき、該気圧弁１５の逆止弁がエアチャネル１３の通路内の気体を単一方向に進入させ、気体が逆流して漏れ出ることがないようにする。または、スイッチ部材１４が圧力開放信号を制御モジュール１６に送信したとき、この信号に基づき気圧弁１５の排気弁を制御して圧力を開放させ、気体が順にエアクッション１１からエアチャネル１３、気圧弁１５の該排気弁及び排気孔１５ａを経由して該装用緩衝保護装置を備えた眼鏡１の外部に放出され、エアチャネル１３が適切な内部圧力値に調整される、または気体を充填していない状態が回復される。これにより、装用緩衝保護装置を備えた眼鏡１は使用していない状態下で圧力が開放され、緩衝クッション１１ａ、１１ｂ及びサポートクッション１１ｃ、１１ｄの高圧状態が持続して使用寿命が短縮されることを回避することができる。
【００１６】
図４Ａ、図４Ｂを参照する。図４Ａに本発明の実施例１のエアポンプの正面立体分解図、図４Ｂに本発明の実施例１のエアポンプの背面立体分解図をそれぞれ示す。本実施例において、前記エアポンプ１２は圧電駆動エアポンプであり、気体を流動させるために用いられる。図に示すように、本発明のエアポンプ１２は、共振片１２２と、圧電アクチュエータ１２３と、蓋板１２６等の部材を含む。共振片１２２は圧電アクチュエータ１２３に対応して設置され、かつ共振片１２２の中心区域（但しこれに限らない）に設置された中空孔１２２０を備えている。圧電アクチュエータ１２３は懸架板１２３１と、外枠１２３２と、圧電部材１２３３を備え、そのうち、該懸架板１２３１が中心部１２３１ｃと外周部１２３１ｄを備え、圧電部材１２３３が電圧を受けて駆動されると、懸架板１２３１が中心部１２３１ｃから外周部１２３１ｄまで湾曲振動し、該外枠１２３２が懸架板１２３１の外側に周設され、かつ少なくとも１つの支持部１２３２ａと導電ピン１２３２ｂを備えているが、これに限らず、各支持部１２３２ａが懸架板１２３１と外枠１２３２の間に設置され、かつ各支持部１２３２ａの両端が懸架板１２３１及び外枠１２３２に連接され、弾性的支持を提供し、導電ピン１２３２ｂが外側に向かって外枠１２３２上に凸設され、給電接続に用いられる。圧電部材１２３３が懸架板１２３１の第２表面１２３１ｂに貼付され、外部からの電圧を受けて変形を生じ、懸架板１２３１を駆動して湾曲振動させるために用いられる。蓋板１２６は側壁１２６１と、底板１２６２と、開口部１２６３を備え、側壁１２６１は底板１２６２の周縁を囲んで底板１２６２上に凸設され、かつ底板１２６２と共同で共振片１２２と圧電アクチュエータ１２３を内部に収容して設置するための収容空間１２６ａを形成する。開口部１２６３は側壁１２６１上に設置され、外枠１２３２の導電ピン１２３２ｂを開口部１２６３に穿通させ、蓋板１２６の外に突出させて外部電源と接続できるようにするが、これに限らない。
【００１７】
本実施例において、本発明のエアポンプ１２はさらに２つの絶縁片１２４１、１２４２と、導電片１２５を含むが、これらに限らない。そのうち、２つの絶縁片１２４１、１２４２は導電片１２５の上下にそれぞれ設置され、その形態は圧電アクチュエータ１２３の外枠１２３２の形態にほぼ対応しており、かつ例えばプラスチックなどの絶縁可能な材質で構成され、絶縁に用いられるが、これに限らない。導電片１２５は、例えば金属などの導電材質で製造し、電力の導通に用いられ、かつその形態も圧電アクチュエータ１２３の外枠１２３２の形態にほぼ対応しているが、これに限らない。さらに本実施例において、導電片１２５上に電力導通に用いる導電ピン１２５１を設置してもよく、導電ピン１２５１は外枠１２３２の導電ピン１２３２ｂのように蓋板１２６の開口部１２６３に穿通させ、蓋板１２６の外に突出させて、制御モジュール１６と電気的に接続できるようにする。
【００１８】
図５Ａ、図５Ｂ、図５Ｃを参照する。図５Ａに本発明の最良の実施例の圧電アクチュエータの正面構造を示す立体斜視図、図５Ｂに本発明の最良の実施例の圧電アクチュエータの背面構造を示す立体斜視図、図５Ｃに本発明の最良の実施例の圧電アクチュエータの断面構造を示す断面図をそれぞれ示す。これらの図に示すように、本実施例において、本発明の懸架板１２３１は階段面を備えた構造であり、即ち、懸架板１２３１の第１表面１２３１ａの中心部１２３１ｃ上に凸部１２３１ｅが設けられ、凸部１２３１ｅは円形の凸起構造とできるが、これに限らない。一部の実施例において、懸架板１２３１は両面が平坦な板状の正方形構造としてもよい。また図５Ｃに示すように、懸架板１２３１の凸部１２３１ｅは外枠１２３２の第１表面１２３２ｃと共平面であり、かつ懸架板１２３１の第１表面１２３１ａ及び支持部１２３２ａの第１表面１２３２ａ’も共平面である。また、懸架板１２３１の凸部１２３１ｅ及び外枠１２３２の第１表面１２３２ｃと懸架板１２３１の第１表面１２３１ａ及び支持部１２３２ａの第１表面１２３２ａ’の間には一定の深さがある。懸架板１２３１の第２表面１２３１ｂは、図５Ｂと図５Ｃに示すように、外枠１２３２の第２表面２１３２ｄ及び支持部１２３２ａの第２表面１２３２ａ”と平坦な共平面構造を成し、圧電部材１２３３がこの平坦な懸架板１２３１の第２表面１２３１ｂ箇所に貼付される。別の一部の実施例において、前記懸架板１２３１の形態は両面が平坦な板状の正方形構造としてもよいが、これに限られず、実際の状況に応じて変化させることができる。一部の実施例において、懸架板１２３１、外枠１２３２、支持部１２３２ａは一体成型の構造とすることができ、かつ金属板で構成してもよく、例えばステンレス材質で構成することができるが、これに限らない。また、本実施例において、本発明のエアポンプ１２は懸架板１２３１と、外枠１２３２及び支持部１２３２ａの間にさらに気体を通過させるために用いる少なくとも１つの空隙１２３４を備えている。
【００１９】
図６を参照する。図６に図４Ａと図４Ｂに示すエアポンプの断面図を示す。図に示すように、本発明のエアポンプ１２は、蓋板１２６、絶縁片１２４２、導電片１２５、絶縁片１２４１、圧電アクチュエータ１２３、共振片１２２等の部材が順に上から下に積層され、かつ、積層組み立て後の圧電アクチュエータ１２３、絶縁片１２４１、導電片１２５、もう１つの絶縁片１２４２の四周にコロイド２１８が塗布され、蓋板１２６の収容空間１２６ａの周縁に充填されて密封が完了される。組み立て完了後のエアポンプ１２は四辺形の構造であるが、これに限らず、その形状は実際の必要に応じて変化させることができる。このほか、本実施例では、外部電源に接続するために、導電片１２５の導電ピン１２５１（図示しない）と圧電アクチュエータ１２３の導電ピン１２３２ｂ（図６Ａ参照）のみが蓋板１２６外に凸出されて設置されているが、これに限らない。組み立て後のエアポンプ１２は、蓋板１２６と共振片１２２の間に第１チャンバ１２７ｂが形成される。
【００２０】
本実施例において、本発明のエアポンプ１２の共振片１２２と圧電アクチュエータ１２３の間には間隙ｇ０があり、かつ間隙ｇ０内には例えば導電ペーストなど（但しこれに限らない）の導電材質が充填され、これにより共振片１２２と圧電アクチュエータ１２３の懸架板１２３１の凸部１２３１ｅの間に間隙ｇ０の深さが維持され、気流をガイドしてより迅速に流動させることができる。かつ懸架板１２３１の凸部１２３１ｅと共振片１２２が適切な距離を保持して相互の接触干渉を減少することで、騒音の発生を抑えることができる。別の一部の実施例において、圧電アクチュエータ１２３の外枠１２３２の高さを高くすることで、共振片１２２と組み立てた時に間隙を増加することもできるが、これに限らない。これにより、圧電アクチュエータ１２３が駆動されて気体収集作業を行うとき、気体がまず前記蓋板１２６の開口部１２６３から合流チャンバ１２７ａに集められ、さらに共振片１２２の中空孔１２２０から第１チャンバ１２７ｂへと流れて一時的に貯蔵される。圧電アクチュエータ１２３が駆動されて排気作業を行うとき、気体がまず第１チャンバ１２７ｂから共振片１２２の中空孔１２２０を通って合流チャンバ１２７ａへと流れ、気体が気圧弁１５を通ってエアチャネル１３内に導入される。
【００２１】
以下で本発明のエアポンプ１２の作動フローについて説明する。図７Ａ〜図７Ｄを同時に参照する。図７Ａ〜７Ｄは本発明の最良の実施例のエアポンプの作動過程を示す断面図である。まず、図７Ａに示すように、エアポンプ１２の構造は前述のとおりであり、蓋板１２６、別の絶縁片１２４２、導電片１２５、絶縁片１２４１、圧電アクチュエータ１２３、共振片１２２を順に重ねて組み立て、位置決めして成り、共振片１２２と圧電アクチュエータ１２３の間に間隙ｇ０を備え、共振片１２２と蓋板１２６の側壁１２６１が共同で該合流チャンバ１２７ａを定義し、共振片１２２と圧電アクチュエータ１２３の間に第１チャンバ１２７ｂを備えている。エアポンプ１２が電圧により駆動されていないとき、各部材の位置は図７Ａに示すとおりとなる。
【００２２】
続いて図７Ｂに示すように、エアポンプ１２の圧電アクチュエータ１２３が電圧を受けて作動し、上に向かって振動すると、気体が蓋板１２６の開口部１２６３からエアポンプ１２内に進入し、合流チャンバ１２７ａに集められ、続いて共振片１２２上の中空孔１２２０を経由し、上に向かって第１チャンバ１２７ｂ内に流入する。同時に共振片１２２が圧電アクチュエータ１２３の懸架板１２３１の共振の影響を受けて往復振動し、即ち、共振片１２２が上に向かって変形して、中空孔１２２０の箇所で上に向かってやや突出した状態となる。
【００２３】
その後、図７Ｃに示すように、このとき圧電アクチュエータ１２３が下に向かって振動して初期位置に戻る。このとき圧電アクチュエータ１２３の懸架板１２３１上の凸部１２３１ｅが、共振片１２２の中空孔１２２０箇所の上に向かってやや突出した部分に接近し、エアポンプ１２内の気体を上半層の第１チャンバ１２７ｂに一時保存させる。
【００２４】
さらに図７Ｄに示すように、圧電アクチュエータ１２３がさらに下に振動すると、共振片１２２が圧電アクチュエータ１２３の振動の共振作用を受けて、共振片１２２も下に向かって振動し、この共振片１２２の下方向への変形によって第１チャンバ１２７ｂの体積が圧縮され、上半層の第１チャンバ１２７ｂ内の気体が押されて両側に向かって流動し、圧電アクチュエータ１２３の空隙１２３４を通過して下へと流れ、共振片１２２の中空孔１２２０箇所を圧迫して排出され、圧縮気流を形成し、気体導入側開口部２０４を経由して本体２０の第１導流チャンバ２０２に向かって流動する。この実施態様から分かるように、共振片１２２が垂直に往復振動すると、共振片１２２と圧電アクチュエータ１２３の間の間隙ｇ０でその垂直移動の最大距離が増加される。つまり、共振片１２２と圧電アクチュエータ１２３の間に設置された間隙ｇ０が共振片１２２の共振時により大きな幅の上下移動を発生させることができる。
【００２５】
最後に、共振片１２２は図７Ａに示す初期位置に戻る。前述の作動フローによって、図７Ａ〜図７Ｄの順序で継続的に循環し、気体を継続的に蓋板１２６の開口部１２６３から合流チャンバ１２７ａに流入させ、さらに第１チャンバ１２７ｂに流入させた後、続いて第１チャンバ１２７ｂから合流チャンバ１２７ａ内に流入させ、気流を気体導入側開口部２０４内に連続して流入させることで、安定した気体の輸送を可能にする。つまり、本発明のエアポンプ１２の動作時、気体は蓋板１２６の開口部１２６３、合流チャンバ１２７ａ、第１チャンバ１２７ｂ、合流チャンバ１２７ａ、気体導入側開口部２０４の順に流れるため、本発明のエアポンプ１２は単一部材、即ち蓋板１２６を通じ、かつ蓋板１２６の開口部１２６３の構造設計を利用して、エアポンプ１２の部材数量を減少し、全体プロセスを簡素化する効果を達成することができる。
【００２６】
上述を受け、上述のエアポンプ１２の作動を通じて、気体を気圧弁１５からエアチャネル２３内に導入し、エアチャネル２３を介して気体を緩衝クッション１１ａ、１１ｂ及びサポートクッション１１ｃ、１１ｄ内に導入し、緩衝クッション１１ａ、１１ｂ及びサポートクッション１１ｃ、１１ｄ内部に気体を充填して膨張させる。かつ緩衝クッション１１ａ、１１ｂは使用者の耳の形状に応じて完全に貼付され、サポートクッション１１ｃ、１１ｄは使用者の鼻梁の形状に応じて完全に貼付される。これにより装用緩衝保護装置を備えた眼鏡１が使用者の耳にしっかり固定されて脱落することがなく、かつこれにより本体１０の高低位置を調整することで、フォーカス調整の効果が得られ、快適、安全、便利な眼鏡の装用が実現される。
【実施例２】
【００２７】
図８に示す本発明の実施例２の装用緩衝保護装置を備えた眼鏡の構造を示す立体斜視図を参照する。図８に示すように、本発明の実施例２の装用緩衝保護装置を備えた眼鏡２は、本体２０と、２つの緩衝クッション２１ａ、２１ｂと、２つのサポートクッション２１ｃ、２１ｄと、エアポンプ２２と、エアチャネル２３と、スイッチ部材２４を含む。本実施例の本体２０は、２つのツル２０１ａ、２０１ｂ及びフレーム２０２を含み、２つの緩衝クッション２１ａ、２１ｂが２つのツル２０１ａ、２０１ｂの一部分の表面上をそれぞれ被覆して設置され、２つのサポートクッション２１ｃ、２１ｄが該フレーム１０２の使用者の鼻梁に対応する位置にそれぞれ設置され、スイッチ部材２４が該本体２０のツル２０１ｂ上に設置される。本実施例のエアチャネル２３及びエアポンプ２２は該本体２０上に設置され、かつ該本体２０の表面に貼付され、エアチャネル２３及びエアポンプ２２が本体２０の外に露出される。本実施例の装用緩衝保護装置を備えた眼鏡２は、制御モジュール（図示しない）、気圧弁２５、気体圧力検出装置２８も含むが、その構造と設置方法は本発明の実施例１と同じであるため、ここでは説明を省略する。使用者がスイッチ部材２４をオンにすると、スイッチ部材２４が制御モジュールにイネーブル信号を送信し、制御モジュールがイネーブル信号を受信して、該イネーブル信号に基づきエアポンプ２２を駆動して動作させ、気体を外部に露出されたエアチャネル２３から緩衝クッション２１ａ、２１ｂ及びサポートクッション２１ｃ、２１ｄ内に導入し、該緩衝クッション２１ａ、２１ｂ及びサポートクッション２１ｃ、２１ｄの内部に気体を充填して膨張させ、使用者の鼻梁、耳及び顔の形状に応じて完全に貼付させる。同時にサポートクッション２１ｃ、２１ｄが膨張して本体２０の高低位置が調整され、フォーカスを調整することができる。その動作方法は本発明の実施例１と同じであるため、ここではさらなる説明を省略する。本実施例において外部に露出して設置されたエアチャネル２３及びエアポンプ２２は、部材の修理が必要な際に着脱が便利であり、また装用緩衝保護装置を備えた眼鏡の製造工程を簡素化することもできる。
【００２８】
上述をまとめると、本発明の装用緩衝保護装置を備えた眼鏡は、使用者がスイッチ部材をオンにして緩衝クッション及びサポートクッションに気体を充填し、エアクッションを膨張させて使用者の耳及び鼻梁に緊密に密着させて固定することで、個人の耳及び鼻梁の形状に合わせて調整できるため、快適に耳と鼻梁に貼付させて固定することができ、同時に充分な安全性を提供し、脱落することがない。このほか、装用緩衝保護装置を備えた眼鏡はさらに空気圧調節機能を備え、気体圧力検出装置でエアクッション内部の空気圧を検出し、制御モジュールで空気圧を一定範囲内に制御することで、エアクッションが過度に膨張して耳に不快感を与えることがないようにすることができ、快適な圧力で使用者が装用することができる。使用者は使用しない状態のときスイッチ部材をオフにして、エアクッションの空気を排出し、気体を充填していない状態を回復させ、エアクッションの使用寿命を延長することができる。
【００２９】
本発明は当業者であれば諸般の修飾が可能であるが、いずれも後付の特許請求の範囲の保護範囲に含まれる。
【符号の説明】
【００３０】
１                    装用緩衝保護装置を備えた眼鏡
１０                  本体
１０１ａ、１０１ｂ    ツル
１０２                フレーム
１１                  エアクッション
１１ａ、１１ｂ        緩衝クッション
１１ｃ、１１ｄ        サポートクッション
１２                  エアポンプ
１２２                共振片
１２２０              中空孔
１２３                圧電アクチュエータ
１２３１              懸架板
１２３１ａ            第１表面
１２３１ｂ            第２表面
１２３１ｃ            中心部
１２３１ｄ            外周部
１２３１ｅ            凸部
１２３２              外枠
１２３２ａ            支持部
１２３２ａ’          第１表面
１２３２ａ”          第２表面
１２３２ｂ            導電ピン
１２３２ｃ            第１表面
１２３２ｄ            第２表面
１２３３              圧電部材
１２３４              空隙
１２４１、１２４２    絶縁片
１２５                導電片
１２５１              導電ピン
１２６                蓋板
１２６ａ              収容空間
１２６１              側壁
１２６２              底板
１２６３              開口部
１２７ａ              合流チャンバ
１２７ｂ              第１チャンバ
１２８                コロイド
１３                  エアチャネル
１４                  スイッチ部材
１５                  気圧弁
１５ａ                排気孔
１６                  制御モジュール
１７                  電池
１８                  気体圧力検出装置
２                    装用緩衝保護装置を備えた眼鏡
２０                  本体
２０１ａ、２０１ｂ    ツル
２０２                フレーム
２１ａ、２１ｂ        緩衝クッション
２１ｃ、２１ｄ        サポートクッション
２２                  エアポンプ
２３                  エアチャネル
２４                  スイッチ部材
２５                  気圧弁
２６                  制御モジュール
２８                  気体圧力検出装置
【図１】
2018180532.tif 000003
【図２Ａ】
2018180532.tif 000004
【図２Ｂ】
2018180532.tif 000005
【図３】
2018180532.tif 000006
【図４Ａ】
2018180532.tif 000007
【図４Ｂ】
2018180532.tif 000008
【図５Ａ】
2018180532.tif 000009
【図５Ｂ】
2018180532.tif 000010
【図５Ｃ】
2018180532.tif 000011
【図６】
2018180532.tif 000012
【図７Ａ】
2018180532.tif 000013
【図７Ｂ】
2018180532.tif 000014
【図７Ｃ】
2018180532.tif 000015
【図７Ｄ】
2018180532.tif 000016
【図８】
2018180532.tif 000017